(57)【特許請求の範囲】
【請求項１】
脚体に支持された、展示品を載置する載置台と、該載置台の上方を覆う透過性の素材からなる下方が開口された箱状の蓋体と、を備えた展示ケースにおいて、
前記脚体の上部を、平面視方形の杆材で枠体を構成し、該枠体内に、前記載置台を、前記杆材との間に溝条が生じるように支持し、該溝条に、前記蓋体の下端縁を嵌合し、少なくとも前記蓋体の下端縁における対向し合う二箇所に被係合部を形成し、前記杆材内に設けた施錠装置によって作動する係合部が前記被係合部と係脱可能に設けられていることを特徴とする展示ケース。
【請求項２】
前記被係合部が開口として形成され、前記係合部が前記開口に係脱可能な水平の板状ロック片で構成されている請求項１に記載の展示ケース。
【請求項３】
前記被係合部は前記蓋体の下端縁の一部が前記溝条より下方に突出した下向片に形成されている請求項１または２に記載の展示ケース。
【請求項４】
前記溝条に開口上向き凹字状の縁材を架設した請求項１乃至３のいずれかに記載の展示ケース。
【請求項５】
前記縁材における左右一対の垂直立片の上縁に、前記載置台と前記枠体間に架設される延出部を形成した請求項４に記載の展示ケース。
【請求項６】
前記施錠装置を、前記枠体における左右もしくは前後一対の杆材に設けるとともに、前記載置台を前記枠体に固定する支持金具を、前記施錠装置が設けられていない側の一対の杆材に設けた請求項１乃至５のいずれかに記載の展示ケース。
【発明の詳細な説明】
【技術分野】
【０００１】
本発明は、脚体に支持された、展示品を載置する載置台と、該載置台の上方を覆う透過性の素材からなる下方が開口された箱状の蓋体と、を備えた展示ケースに関する。
【背景技術】
【０００２】
展示品を載置する載置台と箱状の蓋体とを備えた従来の展示ケースとして、蓋体の一端側をヒンジにより軸枢着し、他端側は載置台を支持する枠体内に配置したロック装置が蓋体に設けた係合部材として構成したＵ字金具やストライカと係合することにより蓋体を開閉不能に保持し、展示物の盗難を防いだものが知られている（特許文献１，特許文献２参照）。
【０００３】
【特許文献１】特開平９−１８７３５３号公報（段落００１８、図２）
【特許文献２】特開２００１−３４０１８１号公報（段落００１７、図６）
【発明の開示】
【発明が解決しようとする課題】
【０００４】
しかしながら、特許文献１、２に記載の従来の展示ケースは、蓋体が一端側でヒンジにより軸枢着されているため、枢着機構を備えなければならず、しかも蓋体の開閉移動が回動運動となるので、ロック装置と蓋体側の係合部材との係合のための寸法設定や位置決めが複雑であった。またロック装置が一カ所だけであるので施錠に対する信頼度が低かった。
【０００５】
本発明は、このような問題点に着目してなされたもので、複雑な機構を設けず施錠装置と蓋体に設けた係合部との係脱が正確に行え、かつ施錠の信頼度が高められ、しかも係合部と被係合部との係脱状態が隠蔽される展示ケースを提供することを目的とする。
【課題を解決するための手段】
【０００６】
上記課題を解決するために、本発明の請求項１に記載の展示ケースは、脚体に支持された、展示品を載置する載置台と、該載置台の上方を覆う透過性の素材からなる下方が開口された箱状の蓋体と、を備えた展示ケースにおいて、前記脚体の上部を、平面視方形の杆材で枠体を構成し、該枠体内に、前記載置台を、前記杆材との間に溝条が生じるように支持し、該溝条に、前記蓋体の下端縁を嵌合し、少なくとも前記蓋体の下端縁における対向し合う二箇所に被係合部を形成し、前記杆材内に設けた施錠装置によって作動する係合部が前記被係合部と係脱可能に設けられていることを特徴としている。
この特徴によれば、蓋体が、載置台と枠体を構成する杆材で形成される溝条に嵌合されることで、蓋体が枠体に対して定位置に位置決めされると共に安定した状態で支持でき、これにより複雑な機構を設けず施錠装置と蓋体に設けた被係合部との係脱が正確に行え、杆材内に設けた施錠装置によって作動する係合部が蓋体の下端縁における対向し合う二箇所にそれぞれ形成した被係合部と係脱することで施錠の信頼度が高められ、しかも係合部と被係合部との係脱状態が杆材で隠蔽されるので外観上も好ましい。
【０００７】
本発明の請求項２に記載の展示ケースは、請求項１に記載の展示ケースであって、前記被係合部が開口として形成され、前記係合部が前記開口に係脱可能な水平の板状ロック片で構成されていることを特徴としている。
この特徴によれば、被係合部と係合部を開口と水平の板状ロック片とで構成したので、施錠装置により作動される被係合部と係合部との係脱部の高さを低く抑えることができる。
【０００８】
本発明の請求項３に記載の展示ケースは、請求項１または２に記載の展示ケースであって、前記被係合部は前記蓋体の下端縁の一部が前記溝条より下方に突出した下向片に形成されていることを特徴としている。
この特徴によれば、被係合部を溝条より下方に突出した下向片に形成したので、溝条の深さを浅く構成でき、かつ所要長さの施錠装置であっても使用が可能である。
【０００９】
本発明の請求項４に記載の展示ケースは、請求項１乃至３のいずれかに記載の展示ケースであって、前記溝条に開口上向き凹字状の縁材を架設したことを特徴としている。
この特徴によれば、溝条に縁材を架設したことで、厳格な寸法精度が要求されることなく載置台と杆材間に溝条を形成することができる。
【００１０】
本発明の請求項５に記載の展示ケースは、請求項４に記載の展示ケースであって、前記縁材における左右一対の垂直立片の上縁に、前記載置台と前記枠体間に架設される延出部を形成したことを特徴としている。
この特徴によれば、縁材に載置台と前記枠体間に架設される延出部を形成することにより、縁材が溝条に簡易な構成で安定して支持される。
【００１１】
本発明の請求項６に記載の展示ケースは、請求項１乃至５のいずれかに記載の展示ケースであって、前記施錠装置を、前記枠体における左右もしくは前後一対の杆材に設けるとともに、前記載置台を前記枠体に固定する支持金具を、前記施錠装置が設けられていない側の一対の杆材に設けたことを特徴としている。
この特徴によれば、施錠装置と支持金具とをそれぞれ別々の一対の杆材に分けて設けることができるので、施錠装置と支持金具とが互いに干渉することなく配設でき、展示ケースの設計が容易となる。
【発明を実施するための最良の形態】
【００１２】
本発明の実施例を以下に説明する。
【実施例】
【００１３】
図１は、本発明の実施例における展示ケースの全体像を示す斜視図であり、図２は、展示ケースの分解組立斜視図であり、図３は、展示物を覆う蓋体の取り付けおよび取り外しを示す斜視図であり、図４（ａ）は、本実施例における蓋体の背面側の斜視図であり、図４（ｂ）は、変形例である蓋体の背面側の斜視図であり、図５は、蓋体の取り付け時における載置台の前方角部および、その近傍を示す要部拡大斜視図であり、図６は、蓋体の取り付け時における載置台の側部および、その近傍を示す要部拡大斜視図であり、図７（ａ）は、載置台の開口部内に蓋体の下向片が差し込まれた状態および施錠装置に対し鍵を操作する直前の状態を示す正面視断面図であり、図７（ｂ）は、図７（ａ）のＡ−Ａ断面線の断面図であり、図８（ａ）は、鍵操作によって蓋体の下向片が施錠装置に施錠された平面視断面図であり、図８（ｂ）は、図８（ａ）のＢ−Ｂ断面線の断面図である。
【００１４】
図１に示されるように、展示ケース１には、例えばアクリル等の透光性を備えた軽量かつ強度のある硬質な合成樹脂材によって成型された蓋体１５が設けられ、展示ケース１内の展示物Ｔを外部から保護しつつ閲覧可能となっている。以下、本実施例の説明において、図１に図示された展示ケース１を対面した状態で見て、展示ケース１の手前側を前方とし、展示ケース１の奥行き側を後方とし、左手側を左方、右手側を右方として説明する。
【００１５】
展示物Ｔが載置される上面視横長矩形の載置台２は、床面２８に対して前後に配置されたアルミ合金やスチール等の金属製の左右一対の前部脚体６，６および後部脚体７，７と、これら支脚６，７の上部同士が左右前後の杆材１１，１１で連結された平面視方形の枠体１２によって支持されている。後部脚体７，７間には、蓋体１５の上面板１５ａの高さよりも高く上方に向けて延設した背面板８が設けられ、この後部脚体７，７の上端部間には、アルミの押出しによって成型された上部横杆９が架設されている。上部横杆９の前面位置には、下方を照らす照明装置２６が設けられており、載置台２上の展示物Ｔに向けてスポットライトを当てている。また、背面板８が照明光の反射板としても活用されている。
【００１６】
また、照明装置２６に接続される給電ケーブル（図示省略）は、載置台２の下面と床面２８に架設された配線ダクト２７を介して、床面２８に向けて配線されている。左右一対の前部脚体６，６間および後部脚体７，７間にはそれぞれ幕板１４，１４が、そして前後する左右の前部脚体６，６と後部脚体７，７間にはそれぞれ幕板１４’，１４’が取り付け可能で、載置台２の下方を遮蔽することができる。
【００１７】
図２に示されるように、左右の杆材１１，１１および前後の杆材１１，１１は、断面視矩形の角形金属パイプで成型され、この左右の杆材１１，１１の略中央位置には、施錠装置２４，２４を取り付ける収納凹部が１１ｂ，１１ｂが形成されている。前部脚体６，６および後部脚体７，７の同じ高さ位置には、直交する２方向に向けて上向きに開口するコ字状の連結部６ａ，７ａが各々延設されている。
【００１８】
そこで、左右の杆材１１，１１の前端部に後方を向く連結部６ａ，６ａが嵌入され、杆材１１，１１の後端部に前方を向く連結部７ａ，７ａが嵌入されるとともに、前後の杆材１１，１１の左端部に右方を向く連結部６ａ，７ａが嵌入され、右端部に左方を向く連結部６ａ，７ａが嵌入されることで、載置台２を取り付ける矩形の枠体１２が構成される。載置台２の前端上縁および左右端上縁には、切欠き部３，４，４が形成され、左右の切欠き部４，４の前後中間位置には、上下に開放する開口４ａ，４ａが形成されており、さらに開口４ａ，４ａの下部側面には、受け溝４ｂ，４ｂが形成されている。
【００１９】
載置台２の取り付けには、４つの同型の支持金具１３が用いられており、各支持金具１３は板金の折り曲げから側面視Ｌ字に成型され、載置台２の下面に連結される水平面１３ａと前後の杆材１１，１１の互いに対面する側端面部１１ａ，１１ａに連結される垂直片１３ｂの２片とから構成されている。
【００２０】
そこで、前方の杆材１１の側端面部１１ａの左右位置に左右一対で支持金具１３，１３を所定間隔離間して配し、それぞれの垂直片１３ｂ，１３ｂと側端面部１１ａとをネジで螺着し、同様に後方の杆材１1の側端面部１１ａに左右一対で支持金具１３，１３を取り付け、これら４つの支持金具１３の水平片１３ａに載置台２を載置して、ネジで水平片１３ａと螺着することで、載置台２が取り付けられる。このように、施錠装置２４，２４と支持金具１３，１３とをそれぞれ別々の一対の杆材１１，１１に分けて設けることができるので、施錠装置２４と支持金具１３とが互いに干渉することなく配設でき、展示ケース１の設計が容易となっている。
【００２１】
左右の後部脚体７，７の上端部の互いに対面する面には、連結材１０，１０がネジで螺着され、左右に延在する上部横杆９の左右端部に連結材１０，１０の一部が嵌入することで後部脚体７，７間に架設され、一方、この上部横杆９の下部に位置する背面板８は、後部脚体７，７に対して、背面板８の左右側端の一部が後部脚体７，７の対面側と凹凸嵌合することで架設される。
【００２２】
載置台２が左右前後の杆材１１，１１から構成される枠体１２内に取り付けられると、前方の杆材１１側端面部１１ａと切欠き部３との間に左右方向に沿って、後述する溝条が形成されるとともに、左右の杆材１１の側端面部１１ａ，１１ａと切欠き部４，４との間にも前後方向に沿って、後述する溝条が形成される。前方の杆材１１側端面部１１ａと切欠き部３との間の溝条には合成樹脂製の１本の縁材２２が、左右の杆材１１の側端面部１１ａ，１１ａと切欠き部４，４との間と、２本の縁材２１，２１を取り付け可能になっており、縁材２２および縁材２１，２１には、それぞれの長さ方向に沿って凹字状内壁面２２ａ，２１ａが形成され、図３に示されるように、縁材２１，２１および縁材２２は、それぞれの凹字状内壁面２１ａ，２１ａ，２２ａを上向きに開口した状態で、各溝条内に架設されている。
【００２３】
蓋体１５は、左右一対の側板１９，１９と、前後の前板２０および後板１８と、上部を閉蓋する前方の一部にテーパー面を備えた上面板１５ａと、を接着剤等の接合によって組み上げられ、下向きに開口するケース体として構成されており、これら側板１９，１９および前板２０の下端縁１６が、縁材２１，２２の凹字状内壁面２１ａ，２２ａに載置して取り付けられている。尚、蓋体１５の成型としては金型成型で一体に構成してもよいし、熱処理による折り曲げ成型によって構成してもよい。
【００２４】
側板１９，１９の下端縁１６，１６の前後略中間位置には、下方に向けて下向片１７，１７が設けられ、左右に貫通する被係合部である係合孔１７ａ，１７ａが開口形成されている。杆材１１，１１に設けられた２箇所の施錠装置２４，２４は、載置台２に取り付けられた蓋体１５を取り外し不能に規制する手段として利用されており、展示物Ｔを盗難やイタズラ等から未然に保護している。また側板１９，１９の下部位置には前後方法に向けて手掛部１９ａ，１９ａが延在されており、蓋体１５の載置台２からの着脱時に利用することができる。
【００２５】
蓋体１５を載置台２から取り外す際には、蓋体１５を持ち上げて縁材２１，２２から下端縁１６を取り外したのち、上面板１５ａを照明装置２６に干渉しないように前方に引き出すことで簡便に取り外すことができる。蓋体１５の取り付け時には、取り外しの逆の手順で行うことができる。
【００２６】
尚、図４（ａ）に示されるように後板１８の下部は、前後に貫通する開口１８ａが形成されることで、蓋体１５の着脱のいずれの過程において、蓋体１５を照明装置２６に干渉しないように前方に引き出すとき又は後方に収納するときに、載置台２上の展示物Ｔに後板１８が干渉することが避けられ、取り付けおよび取り外しをより簡便に行える構成であることから好ましいが、図４（ｂ）に示されるように、開口１８ａのない後板１８’を備えた蓋体１５’を載置台２に取り付けることも可能であり、展示物Ｔよりも蓋体１５’を高く持ち上げることで、展示物Ｔとの干渉が避けられる。
【００２７】
尚、いずれの蓋体１５，１５’においても、左右の側板１９，１９の下端縁１６は、後板１８，１８’の下端面よりも下方に向けて突設しており、前述した左右の縁材２１，２１の凹字状内壁面２１ａ，２１ａ内に側板１９，１９の下端縁１６が収納される際に、載置台２の上面と後板１８，１８’の下端面との当接が避けられている。また、本実施例の展示ケース１は背面板８を備えており、開口１８ａを外部から閉塞する機能を備えているが、例えば、背面板８のない展示ケースの場合には、開口１８ａのない蓋体１５’を利用する。
【００２８】
次に、蓋体１５の取り付けについて図５および図６に基づいて具体的に説明する。図５に示されるように、前方の杆材１１の側端面部１１ａと載置台２の切欠き部３との間に生じる溝条Ｍ１に嵌め込まれて架設した縁材２２の前後一対の垂直立片の上端には、杆材１１および載置台２に載置する延出部２２ｂ，２２ｂが形成されている。これにより、縁材２２が溝条Ｍ１に簡易な構成で係止され安定して支持され、蓋体１５の前板２０の下端縁１６が縁材２２の凹字状内壁面２２ａの向けて挿し込まれることで、簡便に凹字状内壁面２２ａを介して間接的に溝条Ｍ１内に嵌合される。従って、溝条Ｍ１に寸法的な誤差が多少生じても縁材２２側に寸法精度が出ていれば、何等問題なく組み付けを行うことができる。
【００２９】
図６に示されるように、右方の杆材１１の側端面部１１ａと載置台２の右側面側の切欠き部４との間に生じる溝条Ｍ２に嵌め込まれて架設した縁材２１の左右一対の垂直立片の上端には、前述の縁材２２と同様にして、杆材１１および載置台２に載置する延出部２１ｂ，２１ｂが形成されており、縁材２１が溝条Ｍ２に安定して支持、蓋体１５の側板１９の下端縁１６が縁材２１の凹字状内壁面２１ａに挿し込まれることで、簡便に凹字状内壁面２１ａを介して間接的に溝条Ｍ２内に嵌合される。従って、溝条Ｍ１に寸法的な誤差が多少生じても縁材２１側に寸法精度が出ていれば、何等問題なく組み付けを行うことができる。
【００３０】
また、縁材２１および縁材２２は共に合成樹脂材で成型されているので、蓋体１５の着脱が繰り返し行われても、蓋体１５の下端部１６と載置台２および杆材２１，２２との直接の干渉が避けられるので、互いの劣化が防止され長期間に渡り使用することができ、縁材２１，２２が磨耗されてきた場合には、容易に交換することが可能である。尚、以下の説明において、左方の杆材１１およびその近傍の載置台２の左側面側の構成については、上記の右方の杆材１１およびその近傍の載置台２の右側面側の構成と左右対称構造のため説明を割愛する。
【００３１】
縁材２１の凹字状内壁面２１ａの前後略中間位置に位置する底部には、蓋体１５の下向片１７を挿し込み可能な貫通孔２１ｃが形成されており、側板１９の溝条Ｍ２への取り付け時に下向片１７が貫通孔２１ｃを通過して下方に向けて挿し込まれ、さらに載置台２の切欠き部４に形成した開口４ａを通過して下方に延びている。
【００３２】
この開口４ａに隣接する側端面部１１ａには、開口４ａに対して開口された収納凹部１１ｂが杆材１１内に形成されており、施錠装置２４が設けられている。施錠装置２４の下部には、板状ロック片２４ａが水平で前方向に向けて延設されるとともに、施錠装置２４の上部が杆材１１の上面に突設され、後述する鍵操作で施解錠可能な施錠操作部２４ｂが形成されている。尚、図示される板状ロック片２４ａの前方を向く方向は施錠装置２４の解錠状態の設定となっている。
【００３３】
尚、図５および図６に示されたように、溝条Ｍ１，Ｍ２に縁材２２と縁材２１を架設したことで、溝条Ｍ１，Ｍ２幅と蓋体１５の下端縁１６の取り付け幅とを互いに厳格な寸法精度によって形成することなく、縁材２２，２１によって溝条Ｍ１，Ｍ２の取り付け幅が調整されている。
【００３４】
図７および図８に基づいて、展示ケース１の施錠方法について説明する。図７（ａ）に示されるように、下向片１７が開口４ａ内に挿し込まれた状態では、被係合部に相当する係合孔１７ａに対して、係合部に相当する板状ロック片２４ａの高さ位置が略同位置で収納凹部１１ｂ内に設けられるとともに、開口４ａの受け溝４ｂも略同位置で形成され左右方向に連通されている。
【００３５】
次いで、操作手段に相当する鍵２５が施錠操作部２４ｂに挿し込まれ、図７（ｂ）に示されるように施錠装置２４の解錠状態から、矢示される時計回り方向に向けて鍵操作されることで、施錠操作部２４ｂが回動されるとともに、板状ロック片２４ａが係合孔１７ａ内に向けて移動される。そして図８（ａ）に示されるように、鍵２５の鍵操作によって施錠操作部２４ｂが９０度に回転操作されると、板状ロック片２４ａの先端が係合孔１７ａを通過して受け溝４ｂ内に収納され施錠装置２４の施錠状態となり、施錠操作部２４ｂから鍵２５が取り外される。
【００３６】
図８（ｂ）に示されるように、施錠装置２４の施錠状態では、係合孔１７ａ内に板状ロック片２４ａを挿通したことで下向片１７が係止され、蓋体１５の上方への取り外しを規制しているとともに、板状ロック片２４ａの先端が受け溝４ｂ内に収納されたことで、より強固に下向片１７の係止状態が維持されている。蓋体１５を取り外すには、再度鍵操作によって板状ロック片２４ａと係合孔１７ａの係止状態を解除すればよく、蓋体１５の下向片１７と板状ロック片２４ａとの係脱が確実に行われる。
【００３７】
また、被係合部と係合部を係合孔１７ａと板状ロック片２４ａとで構成したので、後述する施錠装置２４により作動される係合孔１７ａと板状ロック片２４ａとの係脱部の高さを低く抑えることができ、無駄なスペースを生じさせない。そして、係合孔１７ａを溝条Ｍ２より下方に突出した下向片１７に形成したので、溝条Ｍ２の深さを浅く構成できるとともに、例えば、上下に所要長さを有する施錠装置であっても、下向片１７の長さを調整するだけで使用が可能となる。
【００３８】
本実施例では、蓋体１５が載置台２と枠体を構成する左右の杆材１１，１１および前方の杆材１１で形成される溝条Ｍ１，Ｍ２に嵌合されることで、蓋体１５が枠体に対して定位置に位置決めされると共に安定した状態で支持でき、これにより複雑な機構を設けず左右の施錠装置２４と蓋体１５に設けた下向片１７，１７との係脱が正確に行える。
【００３９】
さらに、杆材１１，１１内に設けた施錠装置２４によって作動する板状ロック片２４ａが蓋体１５の下端縁１６における対向し合う二箇所にそれぞれ形成した下向片１７，１７の係合孔１７ａ，１７ａと係脱することで施錠の信頼度が高められ、しかも板状ロック片２４ａと下向片１７，１７との係脱状態が杆材１１，１１で隠蔽されるので外観上も優れた構成となっている。
【００４０】
以上、本発明の実施例を図面により説明してきたが、具体的な構成はこれら実施例に限られるものではなく、本発明の要旨を逸脱しない範囲における変更や追加があっても本発明に含まれ、上記実施例では、左右の杆材１１，１１に施錠装置２４，２４が設けられたことで、蓋体１５の着脱時に施解錠操作を行い易いことから好ましいが、本発明はこれに限定されるものではなく、例えば載置板２の後方側にも溝条を形成し、前後の杆材１１，１１に施錠装置２４，２４を設けるとともに、図４（ｂ）に示された蓋体１５’の前板２０および後板１８’側に下向片１７，１７を形成することで、前後から施解錠可能な展示ケースとしてもよい。
【００４１】
また、上記実施例では、蓋体１５の下端縁１６よりも下方に向けて設けられた下向片１７の係合孔１７ａに板状ロック片２４ａが係脱され蓋体１５の施解錠が行われているが、本発明はこれに限定されるものではなく、例えば下端縁１６を直に係脱可能な施錠装置を杆材に設けることで、下向片１７を下端縁１６に設けることなく、蓋体１５の施解錠を行える。また、係合孔１７ａと板状ロック片２４ａの係脱に限定することなく、下端縁に嵌合凹穴を形成し、施錠装置に左右方向に切換え制御する棒材を備え、嵌合凹穴と棒材との凹凸嵌合により蓋体の施解錠を行うこともできる。
【００４２】
また、上記実施例では、支持金具１３によって載置台２が杆材１１，１２に取り付けられており、組み立ておよび分解を容易に行えることから好ましいが、接着剤等で載置台２を杆材１１，１２に直接組み付けるようにしても良い。
【図面の簡単な説明】
【００４３】
【図１】本発明の実施例における展示ケースの全体像を示す斜視図である。
【図２】展示ケースの分解組立斜視図である。
【図３】展示物を覆う蓋体の取り付けおよび取り外しを示す斜視図である。
【図４】（ａ）は、本実施例における蓋体の背面側の斜視図であり、（ｂ）は、変形例である蓋体の背面側の斜視図である。
【図５】蓋体の取り付け時における載置台の前方角部および、その近傍を示す要部拡大斜視図である。
【図６】蓋体の取り付け時における載置台の側部および、その近傍を示す要部拡大斜視図である。
【図７】（ａ）は、載置台の開口部内に蓋体の下向片が差し込まれた状態および施錠装置に対し鍵を操作する直前の状態を示す正面視断面図であり、（ｂ）は、図７（ａ）のＡ−Ａ断面線の断面図である。
【図８】（ａ）は、鍵操作によって蓋体の下向片が施錠装置に施錠された平面視断面図であり、（ｂ）は、図８（ａ）のＢ−Ｂ断面線の断面図である。
【符号の説明】
【００４４】
１                展示ケース
２                載置台
３                前端上縁の切欠き部
４                左右端上縁の切欠き部
４ａ              開口
４ｂ              板状ロック片の受け溝
６                前部脚体
６ａ              連結部
７                後部脚体
７ａ              連結部
８                背面板
９                上部横杆
１０              連結材
１１              左右前後の杆材
１１ａ            側端面部
１１ｂ            施錠装置の収納凹部
１２              枠体
１３              支持金具
１３ａ            水平片
１３ｂ            垂直片
１４、１４’      幕板
１５、１５’      箱状の蓋体
１５ａ            上面板
１６              下端縁
１７              下向片
１７ａ            係合孔（被係合部）
１８、１８’      後板
１８ａ            開口
１９              側板
１９ａ            手掛部
２０              前板
２１、２２        縁材
２１ａ、２２ａ    凹字状内壁面
２１ｂ、２２ｂ    延出部
２１ｃ            貫通孔
２４              施錠装置
２４ａ            板状ロック片（係合部）
２４ｂ            施錠操作部
２５              鍵（操作手段）
２６              照明装置
２７              配線ダクト
２８              床面
Ｔ                展示物
Ｍ１、Ｍ２        溝条
【図１】
0004813194.tif 000002
【図２】
0004813194.tif 000003
【図３】
0004813194.tif 000004
【図４】
0004813194.tif 000005
【図５】
0004813194.tif 000006
【図６】
0004813194.tif 000007
【図７】
0004813194.tif 000008
【図８】
0004813194.tif 000009